(57)【要約】【課題】広幅化したベルト補強層の最外側縁を跨ぐ領域にショルダ陸部を形成する場合に、ショルダ陸部に荷重直下で発生するクラッシング剪断力を有効に抑制して、発生横力を有利に高め、優れた操縦安定性能を確実に発揮させる空気入りタイヤを提供する。【解決手段】カーカス１と、ベルト補強層２の少なくとも一層と、一層以上のベルト層３，４と、トレッドゴム５とを設け、トレッド周方向に連続して延びるショルダ周溝６で、トレッドゴム５にベルト補強層２の最外側縁位置Ｅを跨いで位置するショルダ陸部１０を区画すると共に、ショルダ周溝６のショルダ側の溝壁６ａの溝縁位置でショルダ陸部表面に立てた法線Ｎに対するショルダ側の溝壁６ａの傾き角を、ショルダ周溝６のセンタ側の溝壁６ｃの溝縁位置で、ショルダ陸部のトレッド幅方向内側に隣接する陸部の表面に立てた法線Ｎに対するセンタ側の溝壁６ｃの傾き角より大きくした。【選択図】図２
2012035681.tif 000002
【特許請求の範囲】
【請求項１】
一対のビード部間にトロイダルに延在する、一枚以上のカーカスプライからなるカーカスと、カーカスのクラウン域の外周側に配設されて、トレッド周方向に延在するコードからなるベルト補強層の少なくとも一層と、ベルト補強層の外周側に配設されて、トレッド周方向に対して傾斜して延びるコードからなるベルト層の一層以上と、ベルト層の外周側に配設されてトレッド接地面を形成するトレッドゴムとを具える空気入りタイヤであって、
トレッド周方向に連続して延びるショルダ周溝で、前記トレッドゴムに、ベルト補強層の最外側縁位置を跨いで位置するショルダ陸部を区画するとともに、ショルダ周溝のショルダ側の溝壁の溝縁位置でショルダ陸部表面に立てた法線に対する前記ショルダ側の溝壁の傾き角を、該ショルダ周溝のセンタ側の溝壁の溝縁位置で、ショルダ陸部のトレッド幅方向内側に隣接する陸部の表面に立てた法線に対する前記センタ側の溝壁の傾き角より大きくしてなる空気入りタイヤ。
【請求項２】
前記ショルダ周溝のショルダ側の溝壁による、ショルダ周溝の溝底幅の減少率を７％以上、１００％以下としてなる請求項１に記載の空気入りタイヤ。
【請求項３】
前記ショルダ周溝のショルダ側の溝壁に、ショルダ周溝内に凸となる一個所以上の折曲部を設けてなる請求項１もしくは２に記載の空気入りタイヤ。
【請求項４】
コードを相互に交差させてなる二層以上のベルト層のコード交錯幅を、トレッド幅の６５〜９０％の範囲としてなる請求項１〜３のいずれか一項に記載の空気入りタイヤ。
【発明の詳細な説明】
【技術分野】
【０００１】
この発明は、空気入りタイヤ、なかでも、トラック、バス等の重荷重車両に用いて好適な重荷重用空気入りタイヤに関し、特に、タイヤにスリップ角を付与した場合の、タイヤの発生横力を高めて操縦安定性を向上させることができる空気入りタイヤに関するものである。
【背景技術】
【０００２】
従来、ラジアル構造とすることができるカーカスのクラウン域の外周側に、例えば、トレッド周方向に対して５°以下の角度でコードを延在させることによって、実質的にトレッド周方向に延びるコードからなるベルト補強層を一層以上設け、かかるベルト補強層をもってタイヤの径成長を抑制するタイヤが知られている。このようなタイヤとしては、例えば、特許文献１〜３に開示されたものがある。
【０００３】
なお、ここで、ベルト補強層を形成するコードは、トレッド周方向に直線状、ジグザグ状、波形状等の形態で延在するものとすることができ、このコードとしては、伸長率が２％前後に到るまでは小さな引張力で大きく伸長する一方、その伸長率を越えると大きな入力によっても伸長率が少なくなる、所謂、初期伸びの大きい、例えば、ラング撚りコード、ハイエロンゲーションコード等を用いることができる。
【０００４】
ところで、ベルト補強層のコードを、ジグザグ状、波形状等の迂曲した延在形態とすることで、初期伸びを確保するときは、ＪＡＴＭＡ（Ｔｈａ  Ｊａｐａｎ  Ａｕｔｏｍｏｂｉｌｅ  Ｔｙｒｅ  Ｍａｎｕｆａｃｔｕｒｅｒｓ  Ａｓｓｏｃｉａｔｉｏｎ，Ｉｎｃ．）、ＴＲＡ（Ｔｈｅ  Ｔｉｒｅ  ａｎｄ  Ｒｉｍ  Ａｓｓｏｃｉａｔｉｏｎ，Ｉｎｃ．）、ＥＴＲＴＯ（Ｔｈｅ  Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）等の規格のＹＥＡＲ  ＢＯＯＫその他で規定されるリムにタイヤをリム組みし、そのタイヤ内に同規格で規定される最高空気圧を充填した状態で、迂曲形態がほぼ消失するものとすることが好ましい。
これにより、ベルト補強層に、タイヤの径成長を抑制する機能を十分に発揮させることができる。
【０００５】
上述した特許文献１〜３に開示された空気入りタイヤでは、操縦安定性能の向上のため、コードが相互に交差して延びるベルト層を広幅として面内剪断剛性を高めること、即ち、タイヤが発生する横力を高めることが行なわれているが、ベルト補強層についても、ベルト補強層側縁の、ベルト層からのセパレーションを抑制すると共に、ベルト補強層それ自体の耐久性能の向上を目的として、ベルト補強層の広幅化を図る傾向にある。
【先行技術文献】
【特許文献】
【０００６】
【特許文献１】特開２０００−６２４１１号公報
【特許文献２】特開２００９−１８４３７１号公報
【特許文献３】特開２００９−１２６３６３号公報
【発明の概要】
【発明が解決しようとする課題】
【０００７】
しかしながら、ベルト補強層の広幅化によって、ベルト補強層の最外側縁を跨ぐ領域にショルダ陸部、例えば、ショルダリブを形成したときは、タイヤへのスリップ角の付与によってタイヤに横力ＳＦを発生させるに当り、荷重の直下部分、特に、図４に示すショルダリブ１００のトレッドセンタ側の側部で、横力ＳＦを相殺する向きの、所謂、クラッシング剪断力ＣＳが増加することになる不都合がある。
【０００８】
すなわち、このようなクラッシング剪断力ＣＳが増加するのは、図４に、ショルダリブのトレッド幅方向の断面を誇張して例示するように、ショルダリブ１００の荷重の直下部分が、トレッド周方向に延在するコードからなるベルト補強層１０２による高い「たが作用」の故に、ベルト補強層１０２によって圧潰変形されるかの如くトレッドセンタ側へ大きく膨出変形されることに起因するものである。
このことによって、クラッシング剪断力ＣＳが大きく増加すると、タイヤへのスリップ角の付与によってタイヤに発生する横力ＳＦが、そのクラッシング剪断力ＣＳで相殺されることになるため、先に述べたように、ベルト層１０４の幅を広くして横力ＳＦの増加を企図してなお、横力ＳＦを期待したほどに高めることができず、操縦安定性能を十分に向上させることが難しかった。
なお、クラッシング剪断力ＣＳは一般に、ショルダリブ１００の変形量と、ショルダリブ１００の剛性との積として表わされることなる。
【０００９】
この発明の目的は、広幅化したベルト補強層の最外側縁を跨ぐ領域にショルダ陸部を形成する場合にあっても、そのショルダ陸部に荷重直下で発生するクラッシング剪断力を有効に抑制することで、タイヤに発生する横力を有利に高めて、操縦安定性能を向上させることができる空気入りタイヤを提供することにある。
【課題を解決するための手段】
【００１０】
この発明に係る空気入りタイヤは、一対のビード部間にトロイダルに延在する、一枚以上のカーカスプライからなるカーカスと、カーカスのクラウン域の外周側に配設されて、トレッド周方向に延在するコードからなるベルト補強層の少なくとも一層と、ベルト補強層の外周側に配設されて、トレッド周方向に対して傾斜して延びるコードからなるベルト層の一層以上と、ベルト層の外周側に配設されてトレッド接地面を形成するトレッドゴムとを具えるものであって、トレッド周方向に連続して延びるショルダ周溝で、前記トレッドゴムに、ベルト補強層の最外側縁位置を跨いで位置するショルダ陸部を区画するとともに、ショルダ周溝のショルダ側の溝壁の溝縁位置でショルダ陸部表面に立てた法線に対する前記ショルダ側の溝壁の傾き角を、該ショルダ周溝のセンタ側の溝壁の溝縁位置で、ショルダ陸部のトレッド幅方向内側に隣接する陸部の表面に立てた法線に対する前記センタ側の溝壁の傾き角より大きくしてなるものである。
ここで、それぞれの溝壁の「傾き角」は、タイヤを適用リムに装着し、規定の空気圧を充填した状態の下での傾き角をいうものとする。
ここにおいて、適用リムとは、ＪＡＴＭＡ（The Japan Automobile Tyre Manufacturers Association,Inc.）に規定される「適用リム」、ＴＲＡ（THE TIRE AND RIM ASSOCIATION INC.）に規定される「Design Rim」、或いはＥＴＲＴＯ（THE European Tyre and Rim Technical Organisation）に規定される「Measuring Rim」をいうものとし、規定の空気圧とは、ＪＡＴＭＡ、ＴＲＡ、ＥＴＲＴＯの各規格において、最大負荷能力に対応して規定される空気圧をいうものとする。
なお、ここでいう空気は、窒素ガスその他の不活性ガスとすることもできる。
【００１１】
ところで、このベルト補強層を形成するコードは、トレッド周方向に直線状、ジグザグ状、波形状等の形態で延在するものとすることができ、また、このコードは、伸長率が２％前後に到るまでは、小さな引張力で大きく伸長する一方、その伸長率を越えた後は、大きな引張力によっても伸長率が少なくなる、いわゆる初期伸びの大きい、たとえばスチール製撚りコードとすることができる。
【００１２】
なお、ベルト補強層のコードを、ジグザグ状等の迂曲形態で延在させることによって、コードの初期伸びを確保するときは、リムに組み付けたタイヤに、ＪＡＴＭＡ、ＴＲＡ、ＥＴＲＴＯ等の規格のＹＥＡＲ ＢＯＯＫその他で規定される最高空気圧を充填した状態で、迂曲形態がほぼ消失するものとすることが、空気入りタイヤの使用状態での径成長抑制機能を、そのベルト補強層に十分発揮させる上で好ましい。
【００１３】
そして、好ましくは、ショルダ周溝の、上述したような傾き角をもつショルダ側の溝壁による、ショルダ周溝の溝底幅の減少率、すなわち、ショルダ陸部の接地幅を所定の一定幅に維持した状態の下でショルダ側の溝壁の、上述したような傾き角を、センタ側の溝壁の、これも前述した傾き角に等しくした場合に対する溝底幅の減少率を、７％以上、１００％以下とする。
【００１４】
ここで、ショルダ周溝のショルダ側の溝壁に、ショルダ周溝内に凸となる向きの一個所以上の折曲部を設けることもできる。
ところで、コードを相互に交差させて延在させてなる二層以上のベルト層のコード交錯幅は、トレッド幅の６５〜９０％の範囲とすることが好ましい。
【発明の効果】
【００１５】
この発明に係る空気入りタイヤでは、とくに、トレッド幅方向の断面内で、ショルダ周溝のショルダ側の溝壁の溝縁位置で、ショルダ陸部表面に立てた法線に対する前記ショルダ側の溝壁傾き角を、該ショルダ周溝のセンタ側の溝壁の溝縁位置で、ショルダ陸部の内側に隣接する陸部の表面に立てた法線に対する前記センタ側の溝壁の傾き角より大きくしたことにより、ショルダ陸部の剛性を高めて、荷重の作用に対するショルダ陸部の変形量を有効に抑制することができるので、ショルダ陸部の剛性とショルダ陸部の変形量との積で表される、横力を相殺する向きに作用するクラッシング剪断力を有利に低減させて、負荷転動時のタイヤへのスリップ角の付与によってタイヤに発生する横力ＳＦの相殺を効果的に防止して、高い操縦安定性の発揮を十分に担保することができる。
【００１６】
そしてこのことは、ショルダ周溝のショルダ側の溝壁による、ショルダ周溝の溝底幅の減少率を７％以上、１００％以下とした場合にとくに効果的である。
言い換えれば、減少率が７％未満では、横力ＳＦを相殺する向きのクラッシング剪断力を所期した程には低減させることができず、一方、それが１００％を越えると、隣接する陸部のクラッシングも抑制することになるが、このクラッシングは横力の発生方向のクラッシングであるため、発生横力が低下する憂いがある。
【００１７】
そして、ショルダ周溝のショルダ側の溝壁に、ショルダ周溝内に凸となる一個所以上の折曲部を設けた場合は、ショルダ陸部の剛性がより増加して該陸部のクラッシング剪断変形が一層有効に抑制されるので、横力を相殺するクラッシング剪断力の発生を、より積極的に防止することができる。
【００１８】
なおここで、コードを相互に交差させてなる二層以上のベルト層のコード交錯幅（Ｌ１：図２参照）を、トレッド幅（Ｌ２：図２参照）の６５〜９０％の範囲としたときは、ベルト層からなるベルトの面内曲げ剛性を有効に高めることができる。
即ち、上記数値範囲が６５％未満では、ベルトの面内曲げ剛性の低下が著しく、発生横力も低下することになる他、二層以上のベルト層の幅が大きく相違することによって、プライステアフォース（Ｐｌｙ  Ｓｔｅｅｒ  Ｆｏｒｃｅ：ＰＳＦ）が大きくなる懸念もある。一方、９０％を越えると、ベルトの面内曲げ剛性が増加して、発生横力も大きくなるが、ベルト層間剥離等の耐久性の低下が懸念されることになる。
【図面の簡単な説明】
【００１９】
【図１】この発明の一実施の形態に係る空気入りタイヤの内部構成を概略的に示し、（ａ）はトレッド幅方向に沿う部分断面図、（ｂ）はベルト補強層及びベルト層の部分展開平面図である。
【図２】図１のショルダ周溝の溝壁の状態を拡大して示すトレッド幅方向の部分断面図である。
【図３】図２に示すショルダ側溝壁の変形例を示し、（ａ）は一箇所の折曲部を有する例の部分拡大断面図、（ｂ）は二箇所の折曲部を有する例の部分拡大断面図である。
【図４】ショルダリブのトレッド幅方向部分を拡大して例示する断面説明図である。
【発明を実施するための形態】
【００２０】
以下、この発明を実施するための形態について図面を参照して説明する。
図１に示すように、空気入りタイヤのカーカス１は、図示しない一対のビード部間にトロイダルに延在する、例えば一枚のカーカスプライからなり、このカーカスは、ラジアル構造とすることができる。
【００２１】
カーカス１のクラウン域の外周側に配設されたベルト補強層２は、トレッド周方向に延在するコード、例えば、並列に配置した複数本のコードをゴム被覆した３〜２０ｍｍ幅のリボン状のストリップを、タイヤ軸線周りに螺旋状に巻回した、トレッド周方向に対して５°以下の角度で延在するコードにより、形成することができる。
なお、ベルト補強層２は二層以上配設することも可能である。
【００２２】
ここで、ベルト補強層２のコード２ａは、前述したような、初期延びの大きいラング撚りスチールコードやハイエロンゲーションスチールコード等の他、有機繊維コードとすることができ、また、トレッド周方向に対してジグザグ状、クランク状、波形状等の迂曲形態で延在するスチールコードとすることもできる。
ベルト補強層２の外周側には、トレッド周方向に対し、例えば３５〜５５°の傾斜角度で延びるコードからなるベルト層が一層以上（図１では、二層のベルト層３，４を例示する）配設されており、ここでは、ベルト層３，４のそれぞれを形成するコード３ａ，４ａを、トレッド周方向に対して相互に逆方向に延在させている。
【００２３】
これらベルト層３，４の外周側には、トレッド接地面５ａを形成するトレッドゴム５が配設されており、かかるトレッドゴム５に、例えば、それぞれ２本のトレッド幅方向外側の周溝（ショルダ周溝）６とトレッド幅方向内側の周溝７の計４本の周溝を形成することにより、トレッド接地面５ａは、五条の陸部、例えば、トレッド幅方向中央の１本の中央リブ８と、中央リブ８の両側の２本の中間リブ９と、トレッド幅方向両端の２本のショルダリブ１０により区画される。
【００２４】
ところで、このような空気入りタイヤでは、ベルト補強層２は、その配設層数が一層であると複数層であるとの別なく、トレッド幅方向の最外側縁を、リムに組付けた製品タイヤにＪＡＴＭＡ、ＴＲＡ、ＥＴＲＴＯ等の規格のＹＥＡＲ  ＢＯＯＫその他で規定される最高空気圧を充填したときのタイヤ径成長率が、後述するＡ％となる位置よりも、トレッド幅方向外側に位置させることが好ましい。ここでのこのＡ％は、ベルト補強層２を形成するコードを引張試験したとき、そのコードが破断弾性率ＥＩの１０％の弾性率を示すときの伸長率（％）に対応する、タイヤ径成長率をいうものとする。
【００２５】
そして、この空気入りタイヤでは、トレッド幅方向の最も外側に配設されトレッド周方向に連続して延びるショルダ周溝６によって、トレッドゴム５に、ベルト補強層２の最外側縁位置Ｅを跨いで位置する、ショルダ陸部としてのショルダリブ１０を区画する。このショルダリブ１０の接地面は、トレッドショルダ側からトレッドセンタ側へ向かってなだらかな上り傾斜の、曲面を可とする傾斜面により形成されている。
つまり、図１に示すように、トレッド幅方向の断面内で、ベルト補強層２の最外側縁位置を跨いで位置するショルダリブ１０の接地面輪郭線は、トレッドショルダ側からトレッドセンタ側へ向かって下がり傾斜とならないように形成されている。
【００２６】
加えて、このタイヤでは、図２に示すところから明らかなように、トレッドゴム５に形成されたショルダ周溝６の両側の溝壁の傾斜角度を相互に相違させている。溝壁の傾斜角度をこのように異ならせるに際しては、ショルダリブ１０の接地面積が、ショルダ周溝６のショルダ側の溝壁６ａの傾斜角度のいかんに関係なく一定となるように、ショルダ陸部の接地幅を所定の一定幅に維持するようにしている。
かかる条件の下で、図２に示すところでは、トレッド幅方向の断面内で、ショルダ周溝６のショルダ側の溝壁６ａの溝縁位置でショルダ陸部表面に立てた法線Ｎに対するショルダ側の溝壁の傾き角αを、ショルダ周溝６のセンタ側の溝壁６ｃの溝縁位置で、ショルダ陸部のトレッド幅方向内側に隣接する陸部の表面に立てた法線Ｎに対するセンタ側の溝壁の傾き角βより大きくしている。
この効果として、ショルダ側の溝壁６ａの、溝底６ｂとの交点がトレッドセンタ側に移動して、ショルダ周溝６の、傾き角αを傾き角βに等しく一致させた場合の溝底幅Ｗがショルダ側の溝壁６ａの傾斜によるトレッドセンタ側移動幅ｗ分狭くなって、ショルダリブ１０の、溝底６ｂ部分のトレッド幅方向厚みが厚くなるので、ショルダリブ１０の剛性が高まることになる。
【００２７】
このような構成を有する空気入りタイヤによれば、傾斜させたショルダ側の溝壁６ａの存在により、ショルダリブ１０の剛性が増加するので、タイヤを負荷転動させる際に、荷重直下でベルト補強層２によって圧潰変形されるショルダリブ１０の、トレッドセンタ側への膨出変形量を、従来技術に比べて有効に抑制することができることになる。これにより、ショルダリブ１０の変形量とショルダリブ１０の剛性の積として表わされる、横力を相殺する向きのクラッシング剪断力も効果的に低減されることになるので、タイヤにスリップ角を付与して横力を発生させるに当っての、クラッシング剪断力による横力の相殺分を十分小さく抑えて、操縦安定性を有利に向上させることができる。
【００２８】
ところでこの場合は、ショルダ側の溝壁６ａの傾き角αをセンタ側の溝壁６ｃの傾き角βより大きくすることにより、ショルダ周溝６の溝底幅Ｗを、両溝壁６ａ，６ｃの傾き角をともに、図１（ａ）に示す場合のように、βとする場合に比し、（ｗ（トレッドセンタ側移動幅）／Ｗ×１００（％）＝）７％以上、１００％以下減少させることが、ショルダ陸部の剛性を高め、また、ショルダ陸部の変形量を局所的に抑制することで、変形量と剛性との積として表される、横力を相殺するクラッシング剪断力を低減させる上で好ましい。
【００２９】
図３は、図２に示すショルダ側溝壁の変形例を示し、（ａ）は一箇所の折曲部を有する例の部分拡大断面図、（ｂ）は二箇所の折曲部を有する例の部分拡大断面図である。
図３に示すように、ショルダ側溝壁６ａに、ショルダ周溝６内に凸となる向きの一の折曲部１１ａを設けても良く（（ａ）参照）、また、ショルダ周溝６内に凸となる向きの二個所の折曲部１１ｂ，１１ｃを設けても良い（（ｂ）参照）。
図３に示すこれらの変形例によれば、ショルダ陸部の剛性を高めると共に、ショルダ陸部の変形量を局所的に抑制し、且つ、ショルダ陸部の体積減少によるショルダ陸部の変形量を抑制することで、横力を相殺するクラッシング剪断力を有効に低減させることができる。
【実施例】
【００３０】
トラック・バス用のサイズが４３５／４５Ｒ２２．５のタイヤを、１４．００×２２．５のリムに組み付けるとともに、充填空気圧を９００Ｐａに、負荷荷重を４９ｋＮとしてドラム試験を行って、タイヤを５０ｋｍ／ｈの速度で、１°のスリップ角を付与して回転させたときの、タイヤが発生するコーナリングパワ（ＣＰ）を、従来タイヤ及び実施例タイヤ１のそれぞれについて測定し、従来タイヤをコントロールとして指数評価したところ、表１に諸元とともに示す結果を得た。
【００３１】
なお、上記各タイヤは、タイヤ赤道面に沿う、深さが１５ｍｍの六本の周方向溝を有するものとし、それらの周方向溝によって区画されるリブの幅の相対比は、トレッドセンタ側からトレッドショルダ側に向けて、
１：１：１：１．８
とした。
【００３２】
【表１】
2012035681.tif 000003
【００３３】
表１に示すところによれば、この発明に係る実施例タイヤ１は、従来タイヤに比べ、横力を相殺する向きのクラッシング剪断力の発生を抑制して横力を有効に高めることができるので、結果として、コーナリングパワ（ＣＰ）の増加、ひいては操縦安定性の向上を実現することができる。
【産業上の利用可能性】
【００３４】
この発明によれば、ショルダ陸部の剛性を高めて、荷重の作用に対するショルダ陸部の変形を有効に抑制することができるので、ショルダ陸部の剛性とショルダ陸部の変形量との積で表される、横力を相殺する向きに作用するクラッシング剪断力を有利に低減させて、負荷転動時のタイヤへのスリップ角の付与によってタイヤに発生する横力ＳＦの相殺を効果的に防止することができるので、タイヤにスリップ角を付与した場合に、タイヤの発生横力を高めて操縦安定性を向上させることができることになり、トラック、バス等の重荷重用車両に用いて好適な重荷重用空気入りタイヤに最適である。
【符号の説明】
【００３５】
１  カーカス
２  ベルト補強層
２ａ  ベルト補強層コード
３，４  ベルト層
３ａ，４ａ  ベルト層コード
５  トレッドゴム
５ａ  トレッド接地面
６  ショルダ周溝
６ａ  ショルダ側溝壁
６ｂ  溝底
６ｃ  センタ側溝壁
７  周溝
８，９  リブ
１０  ショルダリブ
１１ａ，１１ｂ，１１ｃ  折曲部
Ｅ  ベルト補強層最外側縁位置
Ｎ  法線
Ｗ  溝底幅
ｗ  トレッドセンタ側移動幅
α，β  傾き角
【図１】
2012035681.tif 000004
【図２】
2012035681.tif 000005
【図３】
2012035681.tif 000006
【図４】
2012035681.tif 000007